(57)【要約】【課題】省電力モードで動作可能な装置において周辺装置の構成に応じてＰＦＣ回路（力率改善回路）の動作を制御する。【解決手段】本発明の一実施例に係る制御装置は、省電力モードで動作可能な装置において電源ユニット内の力率改善回路の動作を制御する。かかる制御装置は、電源ユニットから電力が供給される周辺装置の構成に基づいて、力率改善回路を動作させるか否かを示す動作情報を記憶する記憶手段と、当該記憶手段に記憶された動作情報に応じて力率改善回路を動作させる手段とを備える。【選択図】図３
2018077617.tif 000002
【特許請求の範囲】
【請求項１】
省電力モードで動作可能な装置において電源ユニット内の力率改善回路の動作を制御するための制御装置であって、
前記電源ユニットから電力が供給される周辺装置の構成に基づいて、前記力率改善回路を動作させるか否かを示す動作情報を記憶する記憶手段と
前記記憶手段に記憶された動作情報に応じて前記力率改善回路を動作させる手段と
を備えたことを特徴とする制御装置。
【請求項２】
前記装置に、前記周辺装置として所定の電力より大きな電力が供給される可能性がある特定の装置が装着されているかどうかを判定する装置装着判定手段と、
前記特定の装置が装着されていると判定された場合に、前記動作情報を、前記力率改善回路を動作させるものとして前記記憶手段に記憶する手段と
をさらに備えたことを特徴とする請求項１に記載の制御装置。
【請求項３】
前記装置装着判定手段は、前記特定の装置に対して送信したコマンドに対して応答があるか否かに応じて、前記特定の装置が装着されているかどうかを判定することを特徴とする請求項２に記載の制御装置。
【請求項４】
前記装置の機種情報に応じて前記装置の機種を判定する機種判定手段と、
前記機種情報が、前記周辺装置として所定の電力より大きな電力が供給される可能性がある特定の装置を装着している機種を示す場合に、前記動作情報を、前記力率改善回路を動作させるものとして前記記憶手段に記憶する手段と
をさらに備えたことを特徴とする請求項１に記載の制御装置。
【請求項５】
前記機種判定手段は、前記機種情報ごとに前記特定の装置の装着の有無を記憶した情報に応じて、前記機種情報が前記特定の装置を装着しているかどうかを判定することを特徴とする請求項４に記載の制御装置。
【請求項６】
前記装置に前記周辺装置として装着された、所定の電力より大きな電力が供給される可能性がある特定の装置の機能が有効であるかどうかを示す設定情報に応じて、前記特定の装置の機能が有効であるかどうかを判定する機能判定手段と、
前記特定の装置の機能が有効であると判定された場合に、前記動作情報を、前記力率改善回路を動作させるものとして前記記憶手段に記憶する手段と
をさらに備えたことを特徴とする請求項１に記載の制御装置。
【請求項７】
前記特定の装置の機能が有効であると判定された場合に、前記特定の装置に対する電源供給を可能にする手段をさらに備えたことを特徴とする請求項６に記載の制御装置。
【請求項８】
省電力モードで動作可能な装置において電源ユニット内の力率改善回路の動作を制御するための制御装置による制御方法であって、
前記電源ユニットから電力が供給される周辺装置の構成に基づいて、前記力率改善回路を動作させるか否かを示す動作情報を記憶手段に記憶する記憶工程と
前記記憶手段に記憶された動作情報に応じて前記力率改善回路を動作させる工程と
を含むことを特徴とする制御方法。
【請求項９】
コンピューターを請求項１乃至７のいずれか１項に記載の制御装置として機能させるためのプログラム。
【発明の詳細な説明】
【技術分野】
【０００１】
本発明は、省電力モードで動作可能な装置の制御技術に関する。
【背景技術】
【０００２】
従来、コピー、プリント、スキャン、ファクスなどの複数の機能を有する複合機などの装置は、通常電力モードと、通常電力モードよりも少ない電力で動作する省電力モードとを切り替えて動作する。このような装置は、例えば、通常電力モードでのプリント時には１ｋＷ（キロワット）といった大電力を消費するが、省電力モードでは最大でも数１０Ｗ（ワット）以下まで消費電力が低減されている。
【０００３】
消費電力を低減するために、省電力モードでは、電源ユニット内にあるＰＦＣ（Ｐｏｗｅｒ  Ｆａｃｔｏｒ  Ｃｏｒｒｅｃｔｉｏｎ）回路（力率改善回路）の動作も停止させ、ＰＦＣ回路による消費電力を削減している。ＰＦＣ回路とは、電源ユニットに入力される交流電源の電流波形の乱れを整形して電圧波形に近づけることで、力率を改善させる回路のことである。ＰＦＣ回路により、電源ラインに生じる高調波成分を低減してノイズ障害の発生を防ぎ、かつ、消費電力の効率を向上させている。なお、省電力モードでは、供給される電力が小さく、高調波成分による弊害もほとんどないため、ＰＦＣ回路の動作を停止している。ＰＦＣ回路の動作を停止することで、およそ２Ｗの消費電力を削減することができる。
【０００４】
例えば、特許文献１には、記録装置が省電力モードに移行する際に、ＰＦＣ回路の動作を停止させる技術が開示されている。
【先行技術文献】
【特許文献】
【０００５】
【特許文献１】特開２００７−９０８３０号公報
【発明の概要】
【発明が解決しようとする課題】
【０００６】
しかしながら、省電力モード時であっても、装置の電源ユニットから電力が供給される周辺装置の構成によっては電源ユニットが供給する電力が変化する。例えば、装置にオプションの周辺装置が追加されている場合、ＵＳＢなどのインターフェース（以下、Ｉ／Ｆ）に周辺装置が装着されている場合、などである。
【０００７】
したがって、そのような場合にＰＦＣ回路の動作が停止していると、高調波成分による弊害等が顕著に表れてしまうので、ＰＦＣ回路の動作を停止させず、動作させた方が良い。一方で、省電力モードでも、常にＰＦＣ回路の動作を停止させると、上記したようにＰＦＣ回路自身で消費される消費電力によって、省電力モードにおける消費電力が大きくなってしまう。
【課題を解決するための手段】
【０００８】
本発明の一実施例に係る制御装置は、省電力モードで動作可能な装置において電源ユニット内の力率改善回路の動作を制御する。かかる制御装置は、前記電源ユニットから電力が供給される周辺装置の構成に基づいて、前記力率改善回路を動作させるか否かを示す動作情報を記憶する記憶手段と、前記記憶手段に記憶された動作情報に応じて前記力率改善回路を動作させる手段とを備えたことを特徴とする。
【発明の効果】
【０００９】
本発明によると、省電力モードで動作可能な装置において周辺装置の構成に応じてＰＦＣ回路（力率改善回路）の動作を制御することができる。
【図面の簡単な説明】
【００１０】
【図１】実施例１における複合機を含むシステム構成を示す図である。
【図２】実施例１の複合機における電源部の構成を主に示すブロック図である。
【図３】実施例１の複合機におけるコントローラ部の構成を示すブロック図である。
【図４】実施例１の複合機における電源ユニットの内部構造を示すブロック図である。
【図５】実施例１における複合機の電力モードの状態遷移図である。
【図６】実施例１における複合機の初期化処理の流れを示すフローチャートである。
【図７】実施例１における電力モード変更処理の流れを示すフローチャートである。
【図８】実施例１におけるＰＦＣ制御信号の制御処理の流れを示すフローチャートである。
【図９】実施例２の複合機におけるコントローラ部の構成を示すブロック図である。
【図１０】実施例２における複合機の初期化処理の流れを示すフローチャートである。
【図１１】実施例３の複合機におけるコントローラ部の構成を示すブロック図である。
【図１２】実施例３における複合機の初期化処理の流れを示すフローチャートである。
【発明を実施するための形態】
【００１１】
以下に、本発明を実施するための形態について、図面を参照して詳細に説明する。図面全体を通して、同一の符号は同一物を表す。
【００１２】
（実施例１）
図１は、本実施例における複合機を含むシステム構成例を示す。
【００１３】
図１において、複合機１０１はネットワーク１０３を介してＰＣ１０２に接続されている。ＰＣ１０２はコンピューターであり、複合機１０１とのデータ送受信ができる。ＰＣ１０２は、例えば、ユーザーの指示に従い、複合機１０１にネットワーク１０３を介して印刷ジョブなどのデータを送信したり、複合機１０１の設定を変更したりすることができる。
【００１４】
複合機１０１は、コントローラ部１０４、操作部１０５、スキャナ部１０６、プリンタ部１０７、ファクス部１０８、電源部１０９を備える。複合機１０１は、スキャナ部１０６、プリンタ部１０７、ファクス部１０８などの周辺装置を備えることにより、コピー、プリンタ、スキャナ、ファクスなどの機能が統合され、複合機能が備えられている。ただし、必ずしもこれらすべての機能を実現する周辺装置が標準構成として統合されている必要はなく、例えば、ファクス部１０８を標準構成ではなく、オプションとして後から取り付けられるようにしてもよい。すなわち、ファクス部１０８を着脱可能な装置としてもよい。
【００１５】
操作部１０５は、ユーザーが各種の操作を行うためのスイッチ、操作パネル、及び操作情報を表示するための表示部により構成される。表示部は、操作パネルとして機能するタッチスクリーンディスプレイによって構成されていてもよい。
【００１６】
スキャナ部１０６は、原稿をスキャンして画像データを生成し、コントローラ部１０４に入力する機構を備える。
【００１７】
プリンタ部１０７は、コントローラ部１０４で処理された画像データを用紙などの記録媒体に印刷して出力する。
【００１８】
ファクス部１０８は、電話回線１１０と接続され、スキャナ部１０６で読み取った原稿をファクス送信したり、電話回線１１０を介してファクスデータを受信したりする。受信したファクスデータは、プリンタ部１０７によって印刷して出力することができる。
【００１９】
電源部１０９は、複合機１０１の電源であり、商用の交流電源を直流電源に変換し、複合機１０１内の各部に電力を供給する。
【００２０】
図２は、本実施例の複合機１０１における電源部１０９の構成を主に示したブロック図である。図２において、太線は電源供給経路を示し、細線はコントローラ部１０４または電源制御部２０１による制御信号経路を示す。
【００２１】
複合機１０１の電源スイッチ２１１がユーザーによってオンにされると、電源プラグ２１０から商用の交流電源が、電源部１０９内の電源ユニット２０２に供給される。電源ユニット２０２は、交流電源から直流電源を生成し、生成した直流電源をコントローラ部１０４と、コントローラ部１０４を介して操作部１０５に供給する。また、電源ユニット２０２が生成した直流電源は、スイッチ２０３、２０４、２０５を介してスキャナ部１０６、プリンタ部１０７、ファクス部１０８にそれぞれ供給され、コントローラ部１０４内の電源制御部２０１によってオフオン制御される。複合機１０１の全体の動作に応じて、電源制御部２０１が各スイッチを切り替えることにより、電力制御を細やかに行うことができる。
【００２２】
複合機１０１が、通常電力モードから、消費電力を低減した省電力モードに移行する際、電源制御部２０１がスイッチ２０３、２０４をオフに切り替えることにより、スキャナ部１０６、プリンタ部１０７への電源供給が停止される。一方、ファクス部１０８に関しては、省電力モードにおいてもスイッチ２０５はオンのままで、電源を供給する。これは、電話回線１１０からの着信を検知するのに必要な部位への電力を供給するためである。着信検知が不要な場合は、スイッチ２０５をオフに切り替えてファクス部１０８への電源供給を停止してもよい。
【００２３】
電源ユニット２０２は、交流電源を全波整流する全波整流部２０６と、全波整流された交流電源の力率を改善するＰＦＣ部２０７と、ＰＦＣ部２０７からの出力を所望の電圧に変換するスイッチングレギュレータ部２０８から構成される。ＰＦＣ部２０７は、入力される交流電源の電流波形の乱れを整形して電圧波形に近づけることで力率を改善させる力率改善回路である。これにより、電源ラインに生じる高調波成分を低減してノイズ障害の発生を防ぎ、消費電力の効率を向上させることができる。
【００２４】
ＰＦＣ部２０７は、コントローラ部１０４の電源制御部２０１から入力されるＰＦＣ制御信号２０９により、ＰＦＣ動作のオン、オフを切り替えることができる。具体的には、消費電力が大きい通常電力モードでは、ＰＦＣ動作はオンにされ、一方、消費電力が少なくＰＦＣ動作による損失を無くしたい省電力モードでは、電力が小さく、高調波成分による弊害がほとんどないため、ＰＦＣ動作をオフとする。ただし、省電力モードにおいてＰＦＣ動作をオフにした状態における消費電力が所定値を超える可能性がある場合には、例外としてＰＦＣ動作をオンにする。消費電力が所定値を超える可能性があるか否かは、電源制御部２０１が装置の状態を監視して判断する。
【００２５】
図３は、本実施例の複合機１０１におけるコントローラ部１０４の構成を示すブロック図である。
【００２６】
コントローラ部１０４は、ＣＰＵ３０１、プログラムメモリ３０２、汎用メモリ３０３、エンジンＩ／Ｆ３０４、操作部Ｉ／Ｆ３０５、割り込み制御部３０６、ＬＡＮコントローラ３０７、電源制御部２０１、スイッチ３０８により構成される。
【００２７】
ＣＰＵ３０１は、ＰＣＩ ＥｘｐｒｅｓｓバスによりエンジンＩ／Ｆ３０４、ＬＡＮコントローラ３０７に接続されている。また、ＣＰＵ３０１は、各種周辺デバイスとのインターフェース回路を備え、プログラムメモリ３０２に格納されたプログラムを実行し、複合機１０１全体を制御する。
【００２８】
プログラムメモリ３０２は、複合機１０１を制御するプログラムや制御データを格納する。
【００２９】
汎用メモリ３０３は、ＣＰＵ３０１のワークメモリとして使用され、コピー、スキャン、プリント、ファクス等の各処理に従って、それぞれ対象となるユニットに応じた画像データ等を格納する。
【００３０】
エンジンＩ／Ｆ３０４は、ＣＰＵ３０１と、スキャナ部１０６、プリンタ部１０７、ファクス部１０８とを接続し、通信制御及び画像データの送受信を行う。
【００３１】
操作部Ｉ／Ｆ３０５は、ＣＰＵ３０１と操作部１０５を接続するためのインターフェースであり、操作部１０５のキー、タッチパネル等の操作情報の通信を行い、操作部１０５に表示するための画面データを送信する。
【００３２】
割り込み制御部３０６は、割り込み信号を検知し、割り込みの要因に応じて電源制御部２０１やＣＰＵ３０１への割り込み通知を行う。割り込み信号には、例えば、操作部Ｉ／Ｆ３０５を介して操作部１０５から入力される信号、ＬＡＮコントローラ３０７を介してネットワーク１０３に接続されている外部装置からの信号、装置内の各部からの割り込み信号がある。
【００３３】
ＬＡＮコントローラ３０７は、ネットワーク１０３に接続されて外部装置とネットワーク通信するためのネットワーク制御部である。
【００３４】
スイッチ３０８は、省電力モードに移行する際に電源制御部２０１からの制御信号によりオフにされ、電源ユニット２０２からの電力供給を遮断できるようにしたスイッチである。スイッチ３０８をオフすることで、ＣＰＵ３０１、プログラムメモリ３０２、汎用メモリ３０３、エンジンＩ／Ｆ３０４、操作部Ｉ／Ｆ３０５、操作部１０５の電源を遮断することができる。この際、ＣＰＵ３０１は、ＣＰＵ３０１が保持していた各種データを汎用メモリ３０３に退避させ、汎用メモリ３０３をセルフリフレッシュ状態に移行させる。こうすることにより、ＣＰＵ３０１が情報を保持している状態よりも低消費電力状態でデータを保持することができる。
【００３５】
また、ＣＰＵ３０１は、電源制御部２０１内のモードレジスタ３０９に、プログラムメモリ３０２内の電源制御プログラムに応じて電力状態を示す電力モードを設定する。本実施例では、モードレジスタ３０９の値は通常電力モードと省電力モードのうちのどちらかである。電源制御部２０１は、モードレジスタ３０９の値に応じてスイッチ２０３、２０４、２０５、３０８をオフオン制御する。
【００３６】
また、ＣＰＵ３０１は、電源制御部２０１内の強制ＯＮレジスタ３１０に、装置の初期化の際にオプションであるファクス部１０８が装着されているか否かに応じて、ＰＦＣ部２０７を動作させるか否かを示す動作情報を設定し、記憶する。電源制御部２０１からＰＦＣ部２０７へ出力されるＰＦＣ制御信号２０９は、モードレジスタ３０９と強制ＯＮレジスタ３１０の値に基づいて決定される。
【００３７】
このように、コントローラ部１０４は、ＰＦＣ部２０７の動作を制御する制御装置としても機能する。
【００３８】
図４は、本実施例の複合機１０１における電源ユニット２０２の内部構造を示したブロック図である。電源ユニット２０２は、図２を参照して前述したように、全波整流部２０６、ＰＦＣ部２０７、スイッチングレギュレータ部２０８から構成される。以下では特に、ＰＦＣ部２０７の構造について詳しく説明する。
【００３９】
電源ユニット２０２では、全波整流部２０６に交流電源が供給されると、整流された脈流電圧波形電流がＰＦＣ部２０７に入力される。ＰＦＣ部２０７内のＰＦＣ制御回路４０８は、電流波形が電圧波形と同期するように、ＦＥＴ（Ｆｉｅｌｄ  Ｅｆｆｅｃｔ  Ｔｒａｎｓｉｓｔｏｒ）４０２をオフオン制御する。ＦＥＴ４０２がオンである場合にはチョークコイル４０１に電力が蓄えられ、オフである場合にはチョークコイル４０１に蓄えられた電力がダイオード４０３を介して一次平滑コンデンサ４０６に供給される。このようにＦＥＴ４０２を制御することで、電流波形を調節することができる。ＰＦＣ制御回路４０８は、分圧抵抗４０４、４０５で分圧された電圧値、及び、抵抗４０７に流れる電流値を監視することで、ＦＥＴ４０２の制御を行う。電源制御部２０１からのＰＦＣ制御信号２０９がオンである場合、ＦＥＴ４０２はオフオン制御されるが、ＰＦＣ制御信号２０９がオフである場合は、ＦＥＴ４０２はオフとなる。このように、ＦＥＴ４０２をオフにすることにより、ＰＦＣ部２０７の動作は停止し、力率は改善されない状態となる。
【００４０】
図５は、本実施例における複合機１０１の電力モードの状態遷移図である。本実施例における複合機１０１は、電源オフ、通常電力モード、省電力モードの状態を備える。
【００４１】
電源オフ５０１は、複合機１０１の電源スイッチ２１１がオフにされ、各ユニットへの電源供給が遮断されている状態である。
【００４２】
電源オフ５０１の状態において電源スイッチ２１１がオンにされると、通常電力モード５０２に移行する。通常電力モード５０２は、複合機１０１内部に電源が供給され、コピー、プリント、ファクスなどの各種ジョブを実行している状態、あるいは、実行可能な状態である。通常電力モード５０２における複合機１０１の電力状態の遷移は、ＣＰＵ３０１がプログラムメモリ３０２内の電源制御プログラムに応じて電源制御部２０１を制御することで実現する。通常電力モード５０２から省電力モード５０３への移行条件としては、例えば、コピー、スキャン、プリント、ファクスなどのジョブ終了後、もしくは、操作部１０５における最後の操作からの所定時間の経過などがある。また、ユーザーが操作部１０５を介して明示的に省電力モードへの移行を指示し、設定してもよい。例えば、ユーザーが操作部１０５の節電スイッチを押下することにより、省電力モードへ移行してもよい。
【００４３】
省電力モード５０３は、電源部１０９のスイッチ２０３、２０４と、コントローラ部１０４のスイッチ３０８がオフにされ、コントローラ部１０４の一部だけに電源が供給されている状態である。具体的には、図３の汎用メモリ３０３、操作部Ｉ／Ｆ３０５、電源制御部２０１、割り込み制御部３０６、ＬＡＮコントローラ３０７、ファクス部１０８へのみ電源が供給されている。さらに、汎用メモリ３０３はセルフリフレッシュモードに移行し、消費電力が低減されている。
【００４４】
省電力モード５０３から通常電力モード５０２に復帰する割り込み要因を、表１に示す。割り込み要因には、表１に示すように、「操作部スイッチ押下」、「ジョブ受信」、「時計設定」、「ファクスジョブ検知」が含まれる。「操作部スイッチ押下」とは、操作部の節電解除スイッチが押下され、節電状態が解除されたことを意味する。「ジョブ受信」とは、ＬＡＮを介してプリントジョブ等を受信したことを意味する。「時計設定」とは、予め設定された時間になり、通常電力モードへ復帰することを意味する。「ファクスジョブ検知」とは、ファクス部１０８に電話回線経由でファクスジョブの着信があったことを意味する。これらの割り込み要因が発生すると、割り込み制御部３０６は、電源制御部２０１とＣＰＵ３０１に通知する。ＣＰＵ３０１は通知を受け、起動した後、どの割り込み要因による復帰であるかの判別と電源復帰制御を行うことで、複合機１０１の電力状態の変更し、通常電力モード５０２へ復帰する。
【００４５】
【表１】
2018077617.tif 000003
【００４６】
続いて、本実施例におけるＰＦＣ制御信号の制御方法について説明する。
【００４７】
従来、ＰＦＣ制御信号２０９は、前述したように、通常電力モード５０２においてはオンとなり、省電力モード５０３においてはオフとなる。しかしながら、本実施例においては、オプションであるファクス部１０８が装着されている場合には、省電力モード５０３においてもＰＦＣ制御信号２０９をオンとする。これは、ファクス部１０８が装着されている場合には、ＰＦＣ部２０７をオフにした状態における電源ユニットの最大許容電力を超える可能性があるためである。
【００４８】
表２に、モードレジスタ３０９と強制ＯＮレジスタ３１０の組み合わせにより生成されるＰＦＣ制御信号２０９の値（オンまたはオフ）と、参考として各状態における電力値を示す。
【００４９】
【表２】
2018077617.tif 000004
【００５０】
ＰＦＣ制御信号２０９は、前述したように、複合機１０１の電力モードを示すモードレジスタ３０９の値と、オプションのファクス部１０８が装着されているか否かを示す強制ＯＮレジスタ３１０の値に基づいて決定される。電源ユニット２０２は、ＰＦＣ部２０７がオフである場合は、１０Ｗまで動作可能である。省電力モードで、かつオプションであるファクス部１０８が装着されていない場合のみ、最大電力が１０Ｗ以下であるので、ＰＦＣ制御信号２０９をオフにすることができる。一方で、省電力モードであってもファクス部１０８が装着されている場合は、最大で２０Ｗになり、１０Ｗを超えてしまう可能性があるので、ＰＦＣ制御信号をオンにする必要がある。すなわち、ファクス部１０８は、所定の電力より大きな電力が供給される可能性がある周辺装置を意味する。
【００５１】
図６は、本実施例における複合機１０１の初期化処理の流れを示すフローチャートである。初期化処理とは、複合機１０１の電源投入に応じて、ＣＰＵ３０１によって実施される初期処理である。
【００５２】
なお、以降で記す符号Ｓは、フローチャートにおけるステップであることを意味する。また、他の図面におけるフローチャートの説明においても同様に、符号Ｓを用いる。
【００５３】
複合機１０１の電源スイッチ２１１がオンにされて電源が供給されると、Ｓ６０１では、コントローラ部１０４のＣＰＵ３０１は、モードレジスタ３０９の初期値を通常電力モードとして書き込む。これは、電源投入後には、複合機１０１の全ての部位に通電させる必要があるためである。
【００５４】
Ｓ６０２では、ＣＰＵ３０１は、ファクス部１０８が装着されているか否かを判定する。すなわち、ＣＰＵ３０１は、ファクス部１０８のように、所定の電力より大きな電力が供給される可能性がある周辺装置が装着されているかどうかを判定する装置装着判定手段としても機能する。具体的には、ＣＰＵ３０１は、エンジンＩ／Ｆ３０４を介してファクス部１０８に対して初期化コマンドを送信し、ファクス部１０８からの応答があるか否かを判定する。応答が検知できなかった場合にはＳ６０３に進み、強制ＯＮレジスタ３１０にＦａｌｓｅを書き込む。一方、応答が検知できた場合にはＳ６０４に進み、強制ＯＮレジスタ３１０にＴｒｕｅを書き込む。このように、複合機１０１に電源が投入されると、ＣＰＵ３０１は、モードレジスタ３０９の値を通常電力モードに設定して記憶し、ファクス部１０８が装着されているか否かに応じて、強制ＯＮレジスタの値を設定して記憶する。なお、表２に示したように、強制ＯＮレジスタ３１０の値に関わらず、ＣＰＵ３０１による初期化処理ではＰＦＣ制御信号２０９はオンとなる。
【００５５】
図７は、本実施例における電力モード変更処理の流れを示すフローチャートである。図７に示した処理は、初期化処理の終了後や省電力モードからの復帰時に、ＣＰＵ３０１によって実施される。
【００５６】
Ｓ７０１では、ＣＰＵ３０１は、割り込み制御部３０６から割り込み通知を受信する。
【００５７】
Ｓ７０２では、ＣＰＵ３０１は、モードレジスタ３０９を参照し、省電力モードからの復帰であるかどうか判定する。すなわち、現在のモードレジスタ３０９の値が省電力モードである場合、省電力モードからの復帰であるので、Ｓ７０３に進み、ＣＰＵ３０１は、モードレジスタ３０９の値を通常電力モードに変更する。一方、現在のモードレジスタ３０９の値が既に通常電力モードであり、省電力モードからの復帰でない場合は、モードレジスタ３０９の変更は不要である。
【００５８】
Ｓ７０４では、ＣＰＵ３０１は、省電力モードへの移行トリガを検知したか否か判定する。省電力モードへの移行トリガとは、前述したように、ジョブの処理の完了や操作部１０５における最後の操作からの一定時間の経過である。移行トリガを検知した場合、Ｓ７０５に進み、ＣＰＵ３０１はモードレジスタ３０９を省電力モードに変更して、本処理を終了する。一方、移行トリガを検知しない場合は、Ｓ７０４において移行トリガを検知するまでトリガ検知を継続する。
【００５９】
図８は、本実施例におけるＰＦＣ制御信号２０９の制御処理の流れを示すフローチャートである。図８に示した処理は、電源制御部２０１によって実施され、表２を参照して前述したＰＦＣ制御信号２０９のオフオン制御を実現するものである。すなわち、本実施例における力率改善回路の動作を制御するための制御方法である。
【００６０】
Ｓ８０１では、電源制御部２０１は、強制ＯＮレジスタ３１０の値がＴｒｕｅであるか、またはＦａｌｓｅであるか判定する。強制ＯＮレジスタ３１０がＴｒｕｅである場合、ファクス部１０８が装着されているので、Ｓ８０３に進み、電源制御部２０１は、ＰＦＣ制御信号２０９をアクティブにする。すなわち、ＰＦＣ制御信号２０９をオンにする。一方、強制ＯＮレジスタ３１０がＦａｌｓｅである場合、Ｓ８０２に進む。
【００６１】
Ｓ８０２では、電源制御部２０１は、モードレジスタ３０９の値が通常電力モードであるか、または省電力モードであるか判定する。モードレジスタ３０９の値が通常電力モードである場合、Ｓ８０３に進み、ＰＦＣ制御信号２０９をアクティブにする。すなわち、ＰＦＣ制御信号２０９をオンにする。一方、モードレジスタ３０９の値が省電力モードである場合、Ｓ８０４に進み、電源制御部２０１は、ＰＦＣ制御信号２０９をインアクティブにする。すなわち、ＰＦＣ制御信号２０９をオフにする。電源制御部２０１は、Ｓ８０１からＳ８０４までの処理を繰り返すことにより、ＰＦＣ制御信号２０９を制御する。
【００６２】
以上説明したように、本実施例においては、電源制御部２０１に、電力モードを示すモードレジスタ３０９と、オプションであるファクス部１０８が装着されているか否かを示す強制ＯＮレジスタ３１０の値を設定し、記憶した。電源制御部２０１は、モードレジスタ３０９と強制ＯＮレジスタ３１０に記憶された設定値に基づいて、省電力モード時のＰＦＣ制御信号２０９を最適に制御することができる。すなわち、ファクス部１０８が装着されている場合は、電源ユニット２０２において高調波成分による弊害等が顕著に表れてしまう可能性があるので省電力モードにおいてもＰＦＣ部２０７をオンとする。一方、ファクス部１０８が装着されていないときはＰＦＣ部２０７をオフにして、消費電力を低減することができる。このように、本実施例では、ファクス部１０８などの周辺装置の構成に応じて、ＰＦＣ部２０７の動作を制御可能にした。
【００６３】
（第２の実施例）
実施例１では、ファクス部１０８の装着の有無によってＰＦＣ部２０７のオフオンを切り替える例について説明した。本実施例では、複合機１０１の機種に応じて、ＰＦＣ部２０７のオフオンを切り替える例について説明する。
【００６４】
本実施例においては、機種Ａと機種Ｂでコントローラ部１０４の構成は共通である。一方、機種Ａと機種Ｂでは周辺装置の構成が異なり、機種Ａにはファクス部１０８を装備しないが、機種Ｂにはファクス部１０８を標準構成で装備しているという違いある。したがって、機種Ａは、省電力モード時にＰＦＣ部２０７をオフにしてもよいが、機種Ｂは、省電力モード時にもＰＦＣ部２０７をオンにしておかなければならない。
【００６５】
図９は、実施例２におけるコントローラ部１０４の構成を示すブロック図である。図９に示したコントローラ部１０４の構成は、実施例１の図３に示した構成とほぼ同一であるが、プログラムメモリ３０２に格納されるプログラムに機種情報９０１を含む点で異なる。
【００６６】
機種Ａのプログラムメモリ３０２には、機種情報９０１として機種Ａを示す値が格納されている。一方、機種Ｂのプログラムメモリ３０２には、機種情報９０１として機種Ｂを示す値が格納されている。本実施例におけるコントローラ部１０４のＣＰＵ３０１は、初期化処理時に機種情報９０１を参照する。
【００６７】
図１０は、実施例２における複合機１０１の初期化処理の流れを示すフローチャートである。図１０に示したフローチャートは、実施例１の図６に示したフローチャートと比較して、Ｓ６０１でモードレジスタ３０９の初期値を書き込んだ後、Ｓ１００１においてプログラムメモリ３０２内の機種情報９０１を参照し、判定を行う点で異なる。すなわち、本実施例では、ＣＰＵ３０１は、機種情報９０１に応じて装置の機種を判定する機種判定手段としても機能する。
【００６８】
Ｓ１００１では、プログラムメモリ３０２内の機種情報９０１が機種Ａを示すと判定された場合、Ｓ６０３に進み、強制ＯＮレジスタ３１０にＦａｌｓｅを書き込む。一方、機種情報９０１が機種Ｂを示すと判定された場合、Ｓ６０４に進み、強制ＯＮレジスタ３１０にＴｒｕｅを書き込む。
【００６９】
以上説明したように、本実施例では、機種による構成の違い、すなわち、ファクス部１０８の装着の有無を機種情報９０１によって判断し、実施例１と同様に省電力モード時のＰＦＣ制御信号２０９を最適に制御することができる。具体的には、ファクス部１０８が装着されている機種Ｂにおいては、電源ユニット２０２において高調波成分による弊害等が顕著に表れてしまう可能性があるので、省電力モードにおいてもＰＦＣ部２０７をオンとする。一方、ファクス部１０８が装着されていない機種Ａにおいては、ＰＦＣ部２０７をオフとして消費電力を低減することができる。
【００７０】
また、以下の表３に示すように、機種を特定する機種情報に加えて、ファクス部の装着の有無を示す表形式の情報もプログラムメモリ３０２に保持しておき、初期化処理を行う際には機種情報と共に参照するようにして、強制ＯＮレジスタを制御してもよい。
【００７１】
【表３】
2018077617.tif 000005
【００７２】
すなわち、機種情報が機種Ａを示す場合、表３を参照することでファクス部は装着されていないと判定できるので、強制ＯＮレジスタ３１０にはＦａｌｓｅを書き込む。一方、機種情報が機種Ｂを示す場合、表３を参照することでファクス部が装着されていると判定できるので、強制ＯＮレジスタ３１０にはＴｒｕｅを書き込む。
【００７３】
以上説明したように、機種を特定する機種情報に加えて、ファクス部の装着を有無を示す情報も保持し、それを参照することで、ＰＦＣ部２０７のオフオンを切り替えるようにしてもよい。
【００７４】
（第３の実施例）
本実施例では、ファクス部１０８を標準構成で装備している複合機１０１において、ファクス部１０８の機能が有効であるか、または無効であるかを設定することが可能な構成において、ＰＦＣ部２０７のオフオンを切り替える例について説明する。
【００７５】
本実施例における複合機１０１は、ファクス部１０８を標準構成で装備し、ファクス部１０８を使用しないユーザー向けにファクス部１０８の機能を有効または無効に切り替えることが可能な構成とした。ファクス部１０８が無効に設定されている複合機１０１では、ファクス部１０８への通電は行わない。したがって、ファクス部１０８が無効に設定されている場合には、ＰＦＣ部２０７をオフにすることができる。一方、ファクス部１０８が有効に設定されている場合は、ＰＦＣ部２０７をオンにしなければならない。
【００７６】
図１１は、実施例３におけるコントローラ部１０４の構成を示すブロック図である。図１１に示したコントローラ部１０４の構成は、実施例１の図３に示した構成とほぼ同一であるが、プログラムメモリ３０２に格納されるプログラムにファクス部１０８が有効であるか、または無効であるかを示す設定情報１１０１を含む点で異なる。ファクス部１０８の機能が有効であるか、または無効であるかを示す設定情報１１０１は、ユーザーが操作部１０５上のメニューを操作することにより、有効または無効を切り替えることができる。また、ユーザーがＰＣ１０２を操作して、ネットワーク１０３を介して有効または無効を切り替えることもできる。この設定情報１１０１が格納されるプログラムメモリ３０２は不揮発性であり、複合機１０１の電源が遮断されても保持される。コントローラ部１０４のＣＰＵ３０１は、初期化処理時に、有効または無効を示す設定情報１１０１を参照する。初期化後にユーザーが設定を変更した場合には、有効または無効を示す情報１１０１は変更されるが、複合機１０１に反映されるのは再起動後のコントローラ部１０４の初期化時である。
【００７７】
図１２は、実施例３における複合機１０１の初期化処理の流れを示すフローチャートである。図１２に示したフローチャートは、実施例１の図６と比較して、Ｓ６０１でモードレジスタ３０９の初期値を書き込んだ後、Ｓ１２０１においてプログラムメモリ３０２内の有効または無効を示す設定情報１１０１を参照し、判定を行う点で異なる。すなわち、本実施例では、ＣＰＵ３０１は、ファクス部１０８の機能が有効であるかどうかを判定する機能判定手段を備える。さらに、図１２に示したフローチャートでは、Ｓ１２０２及びＳ１２０３において、ファクス部１０８へ電源を供給するスイッチ２０５のオフオンを切り替える点でも異なる。
【００７８】
Ｓ１２０１では、有効または無効を示す設定情報１１０１が無効であると判定された場合、Ｓ６０３に進み、強制ＯＮレジスタに３１０にＦａｌｓｅを書き込む。次いで、Ｓ１２０２では、ＣＰＵ３０１は、電源制御部２０１を介してスイッチ２０５をオフにして、ファクス部１０８への電源供給を切断する。
【００７９】
一方、Ｓ１２０１で、有効または無効を示す設定情報１１０１が有効であると判定された場合、Ｓ６０４に進み、強制ＯＮレジスタ３１０にＴｒｕｅを書き込む。次いで、Ｓ１２０３では、ＣＰＵ３０１は電源制御部２０１を介してスイッチ２０５をオンにして、ファクス部１０８への電源供給を行う。
【００８０】
以上説明したように、本実施例では、ファクス部１０８の機能が有効であるか、または無効であるかを示す設定情報１１０１によって、ファクス部１０８への電力供給の有無を判断する。そうすることによって、実施例１と同様に省電力モード時のＰＦＣ制御信号２０９を最適に制御することができる。すなわち、ファクス部１０８の機能が有効に設定されている場合は、電源ユニット２０２において高調波成分による弊害等が顕著に表れてしまう可能性があるので、省電力モード時においてもＰＦＣ部２０７をオンとする。一方、ファクス部１０８の機能が無効に設定され、ファクス部１０８へ電源が供給されていない場合には、ＰＦＣ部２０７をオフとして消費電力を低減することができる。
【００８１】
（その他の実施例）
本発明は、上述した実施例の１以上の機能を実現するプログラムをネットワーク又は記憶媒体を介してシステム又は装置に供給し、そのシステム又は装置のコンピューターにおける１以上のプロセッサがプログラムを読み出して実行する処理でも実現可能である。また、１以上の機能を実現する回路（例えば、ＡＳＩＣ）によっても実現可能である。
【図１】
2018077617.tif 000006
【図２】
2018077617.tif 000007
【図３】
2018077617.tif 000008
【図４】
2018077617.tif 000009
【図５】
2018077617.tif 000010
【図６】
2018077617.tif 000011
【図７】
2018077617.tif 000012
【図８】
2018077617.tif 000013
【図９】
2018077617.tif 000014
【図１０】
2018077617.tif 000015
【図１１】
2018077617.tif 000016
【図１２】
2018077617.tif 000017